(57)【要約】【課題】無駄なサーチ処理を止めることで、視聴中の番組の受信状態の悪化を極力回避するデジタル放送受信装置を提供すること。【解決手段】記憶部２４は、第１放送規格と第２放送規格で放送される番組のうち、互いに同一内容の番組がどれかを示す同一番組情報２００を格納する。制御部２３は、第１放送規格の番組Ａを受信中に、記憶部２４の同一番組情報２００を参照し、番組Ａと同一内容である番組Ｂが第２放送規格に存在するかどうかを判定する。番組Ｂが存在する場合は、２本のアンテナのうち一方のアンテナ１を用いて受信中の第１放送規格の番組Ａを受信すると共に、他方のアンテナ２を用いて第２放送規格の番組Ｂのサーチ処理を実行する。番組Ｂが存在しない場合は、サーチ処理を行わず、２本のアンテナ１，２を全て用いて番組Ａの受信を継続する。【選択図】図１
2014078815.tif 000002
【特許請求の範囲】
【請求項１】
複数のアンテナを備え、互いに異なる２つの放送規格である第１放送規格と第２放送規格の放送信号を受信可能なデジタル放送受信装置において、
前記アンテナで受信した放送信号から所定の周波数チャンネルの信号を抽出する複数の選局部と、
該選局部で抽出された信号に対し前記第１放送規格と前記第２放送規格に応じた伝送路復調処理を行う複数の復調部と、
該復調部で復調された信号から前記第１放送規格と前記第２放送規格に応じて映像・音声データを復号すると共にシステム情報を抽出する複数のデコード部と、
前記第１放送規格と前記第２放送規格で放送される番組のうち、互いに同一内容の番組がどれかを示す同一番組情報を格納する記憶部と、
前記受信した放送信号の受信状態を判定すると共に、前記選局部、前記復調部、及び前記デコード部を制御して、所望の番組の受信動作と所望の番組のサーチ処理を実行させる制御部と、を備え、
該制御部は、前記第１放送規格の番組Ａを受信中に、前記記憶部に格納した前記同一番組情報を参照し、前記番組Ａと同一内容である番組Ｂが前記第２放送規格に存在するかどうかを判定し、
前記番組Ｂが存在する場合は、前記複数のアンテナを２つのグループに分け、一方のグループのアンテナを用いて前記受信中の第１放送規格の前記番組Ａを受信すると共に、他方のグループのアンテナを用いて前記第２放送規格の前記番組Ｂのサーチ処理を実行し、該サーチ処理に成功したら前記複数のアンテナを全て用いて前記番組Ｂを受信するように切り替え、
前記番組Ｂが存在しない場合は、前記サーチ処理を行わず、前記複数のアンテナを全て用いて前記番組Ａの受信を継続することを特徴とするデジタル放送受信装置。
【請求項２】
請求項１に記載のデジタル放送受信装置において、
前記記憶部には、前記第１放送規格と前記第２放送規格とでどちらが高品質な放送信号であるかを示す品質情報を記憶させておき、
前記制御部は、前記第１放送規格の前記番組Ａを受信中に前記第２放送規格の前記番組Ｂのサーチ処理を実行するとき、前記記憶部に記憶した品質情報を参照し、
前記第１放送規格の放送信号が前記第２放送規格の放送信号よりも高品質である場合には、前記番組Ａの受信状態が受信不可と判定した時点で前記番組Ｂのサーチ処理を実行し、
前記第２放送規格の放送信号が前記第１放送規格の放送信号よりも高品質である場合には、所定時間が経過した時点で、あるいは前記番組Ａの受信品質が基準値よりも低下した時点で前記番組Ｂのサーチ処理を実行することを特徴とするデジタル放送受信装置。
【請求項３】
請求項１に記載のデジタル放送受信装置において、
前記記憶部には、前記第１放送規格と前記第２放送規格とでどちらが優先受信すべき放送信号であるかを示す優先受信情報を記憶させておき、
前記制御部は、前記第１放送規格の前記番組Ａを受信中に前記第２放送規格の前記番組Ｂのサーチ処理を実行するとき、前記記憶部に記憶した優先受信情報を参照し、
前記第１放送規格の放送信号が前記第２放送規格の放送信号よりも優先する場合には、前記番組Ａの受信状態が受信不可と判定した時点で前記番組Ｂのサーチ処理を実行し、
前記第２放送規格の放送信号が前記第１放送規格の放送信号よりも優先する場合には、所定時間が経過した時点で、あるいは前記番組Ａの受信品質が基準値よりも低下した時点で前記番組Ｂのサーチ処理を実行することを特徴とするデジタル放送受信装置。
【請求項４】
請求項１に記載のデジタル放送受信装置において、前記第１の放送規格の放送信号が複数の中継局から異なるチャンネルにて送出されている場合、
前記記憶部は更に、前記第１の放送規格の番組毎に送出する全ての中継局チャンネルを記述した中継局チャンネル情報を格納し、
前記制御部は、１つの中継局チャンネルから前記第１放送規格の番組Ａを受信中に、前記記憶部に格納した前記中継局チャンネル情報を参照し、前記番組Ａを送出する他の中継局チャンネルが存在するかどうかを判定し、
他の中継局チャンネルが存在する場合は、前記複数のアンテナを２つのグループに分け、一方のグループのアンテナを用いて前記受信中の第１放送規格の前記番組Ａを受信すると共に、他方のグループのアンテナを用いて前記他の中継局チャンネルのサーチ処理を実行し、該サーチ処理に成功したら前記複数のアンテナを全て用いて前記他の中継局チャンネルから番組Ａを受信するように切り替え、
他の中継局チャンネルが存在しない場合は、前記他の中継局チャンネルのサーチ処理を行わず、前記番組Ａと同一内容である前記第２放送規格の前記番組Ｂが存在するかどうかを判定し、該番組Ｂが存在する場合は該番組Ｂのサーチ処理を実行することを特徴とするデジタル放送受信装置。
【請求項５】
請求項１乃至請求項４に記載のデジタル放送受信装置において、
前記同一番組情報又は前記中継局チャンネル情報は、前記第１放送規格又は前記第２放送規格の放送信号に含めて送出され、
前記制御部は、受信した該放送信号から前記同一番組情報又は前記中継局チャンネル情報を抽出して前記記憶部に格納することを特徴とするデジタル放送受信装置。
【請求項６】
複数のアンテナを備え、複数の中継局から異なるチャンネルにて送出されている同一の放送規格の放送信号を受信可能なデジタル放送受信装置において、
前記アンテナで受信した放送信号から所定の周波数チャンネルの信号を抽出する複数の選局部と、
該選局部で抽出された信号に対し前記放送規格に応じた伝送路復調処理を行う複数の復調部と、
該復調部で復調された信号から前記放送規格に応じて映像・音声データを復号すると共にシステム情報を抽出する複数のデコード部と、
放送する番組毎に送出する全ての中継局チャンネルを記述した中継局チャンネル情報を格納する記憶部と、
前記受信した放送信号の受信状態を判定すると共に、前記選局部、前記復調部、及び前記デコード部を制御して、所望の番組の受信動作と所望の番組のサーチ処理を実行させる制御部と、を備え、
前記制御部は、１つの中継局チャンネルから番組Ａを受信中に、前記記憶部に格納した前記中継局チャンネル情報を参照し、前記番組Ａを送出する他の中継局チャンネルが存在するかどうかを判定し、
他の中継局チャンネルが存在する場合は、前記複数のアンテナを２つのグループに分け、一方のグループのアンテナを用いて前記受信中の中継局チャンネルから前記番組Ａを受信すると共に、他方のグループのアンテナを用いて前記他の中継局チャンネルのサーチ処理を実行し、該サーチ処理に成功したら前記複数のアンテナを全て用いて前記他の中継局チャンネルから番組Ａを受信するように切り替え、
他の中継局チャンネルが存在しない場合は、前記他の中継局チャンネルのサーチ処理を行わず、前記複数のアンテナを全て用いて前記受信中の中継局チャンネルから前記番組Ａの受信を継続することを特徴とするデジタル放送受信装置。
【発明の詳細な説明】
【技術分野】
【０００１】
本発明は、移動体に搭載しデジタル放送を受信するのに好適なデジタル放送受信装置に関する。
【背景技術】
【０００２】
本技術分野の背景技術として特許文献１がある。この文献は、「放送のサービスエリアが移動に伴って逐次変わってゆく場合であっても、常に最新の番組情報を取得し、現在位置で受信可能な全ての番組情報を常にユーザに提供する」ことを課題とする。その解決手段として、「デジタル放送受信装置１０は、複数のアンテナ１１，１２と、複数の受信／復調部１３，１４とを備えている。複数の受信／復調部１３，１４は、通常の受信時には、ダイバーシチによる受信及び復調を行って、第１のデジタルデータストリームを出力する。サーチ時には、複数のアンテナ及び複数の受信／復調部が２つのグループに分割される。一方のグループのアンテナ１１及び受信／復調部１３は、第１のデジタルデータストリームの受信及び出力を継続する。さらに、他方のグループのアンテナ１２及び受信／復調部１４は、他のチャネルを受信及び復調をして、番組情報が記述されたシステム情報を取得する。」と記載されている（要約参照）。
【先行技術文献】
【特許文献】
【０００３】
【特許文献１】特開２００５−１８４５４８号公報
【発明の概要】
【発明が解決しようとする課題】
【０００４】
特許文献１におけるサーチ処理は、ユーザがイベント選択のために現在位置で受信可能な全ての番組情報を取得するために実行するものである。またサーチ処理は、現在視聴中の番組を継続して受信するために、同一内容の他チャンネルの番組を探索する場合にも用いられる。その際、現在位置でのデジタル放送の受信状態が悪い場合には、受信状態が良好な他チャンネルを発見するまでサーチ処理を繰り返し実行せねばならない。サーチ処理中は、視聴中の番組を受信するために用いられるアンテナ数が減少（例えば２本から１本に減少）するため、受信状態は更に悪化し視聴中の番組が中断又は切断されてしまう恐れがある。
【０００５】
サーチ処理の目的が同一内容番組の探索であるとき、該当する同一内容の他チャンネル番組が存在しない場合には、サーチ処理自体に意味がなく無駄な動作となる。更には、サーチ処理により視聴中の番組の受信状態をより悪化させるだけであるから、極力回避すべきである。しかしながら特許文献１をはじめ従来技術では、このような無駄なサーチ処理については考慮されなかった。
【０００６】
本発明の目的は、無駄なサーチ処理を止めることで、サーチ処理に伴う番組の受信状態の悪化を抑制するデジタル放送受信装置を提供することである。
【課題を解決するための手段】
【０００７】
上記課題を解決するために、特許請求の範囲に記載の構成を採用する。一例を挙げれば、複数のアンテナを備え、互いに異なる２つの放送規格（以下、第１放送規格と第２放送規格）の放送信号を受信可能なデジタル放送受信装置において、前記アンテナで受信した放送信号から所定の周波数チャンネルの信号を抽出する複数の選局部と、該選局部で抽出された信号に対し前記放送規格に応じた伝送路復調処理を行う複数の復調部と、該復調部で復調された信号から前記放送規格に応じて映像・音声データを復号すると共にシステム情報を抽出する複数のデコード部と、前記第１放送規格と前記第２放送規格で放送される番組のうち、互いに同一内容の番組がどれかを示す同一番組情報を格納する記憶部と、前記受信した放送信号の受信状態を判定すると共に、前記選局部、前記復調部、及び前記デコード部を制御して、所望の番組の受信動作と所望の番組のサーチ処理を実行させる制御部と、を備える。該制御部は、前記第１放送規格の番組Ａを受信中に、前記記憶部に格納した前記同一番組情報を参照し、前記番組Ａと同一内容である番組Ｂが前記第２放送規格に存在するかどうかを判定する。前記番組Ｂが存在する場合は、前記複数のアンテナを２つのグループに分け、一方のグループのアンテナを用いて前記受信中の第１放送規格の前記番組Ａを受信すると共に、他方のグループのアンテナを用いて前記第２放送規格の前記番組Ｂのサーチ処理を実行し、該サーチ処理に成功したら前記複数のアンテナを全て用いて前記番組Ｂを受信するように切り替える。前記番組Ｂが存在しない場合は、前記サーチ処理を行わず、前記複数のアンテナを全て用いて前記番組Ａの受信を継続する。
【発明の効果】
【０００８】
本発明によれば、サーチ処理に伴う番組の受信状態の悪化を抑制し、良好で安定した受信状態を継続することができる。
【図面の簡単な説明】
【０００９】
【図１】実施例１にかかるデジタル放送受信装置の構成図。
【図２】記憶部２４に格納される同一番組情報のデータ構造の例。
【図３】実施例１にかかる受信番組の切り替え処理を説明する概念図。
【図４】実施例１にかかる受信切り替え処理の手順を示すフローチャート。
【図５】実施例２にかかる受信番組の切り替え処理を説明する概念図。
【図６】実施例２にかかる受信切り替え処理の手順を示すフローチャート。
【図７】モニタ７０に表示される優先受信設定メニューの例。
【図８】モニタ８０に表示される番組一覧メニューの例。
【図９】実施例３にかかるデジタル放送受信装置の構成図。
【図１０】記憶部２４に格納される中継局チャンネル情報のデータ構造の例。
【図１１】実施例３にかかる受信切り替え処理の手順を示すフローチャート。
【図１２Ａ】フロントエンド処理部とバックエンド処理部の変形例を示す図。
【図１２Ｂ】フロントエンド処理部の変形例を示す図。
【図１２Ｃ】フロントエンド処理部の変形例を示す図。
【発明を実施するための形態】
【００１０】
本発明によるデジタル放送受信装置は、世界中で使用されている様々な放送規格に対応した装置であり、２つ以上の任意の放送規格の番組を受信することが可能である。サポートされる放送規格は、ＤＶＢ−Ｔ（Digital Video Broadcasting−Terrestrial）、ＤＶＢ−Ｔ２（Digital Video Broadcasting−Terrestrial 2）、ＤＶＢ−Ｈ（Digital Video Broadcasting−Handheld）、ＤＶＢ−ＳＨ（Digital Video Broadcasting−Satellite services to Handheld）、ＤＴＭＢ（Digital Terrestrial Multimedia Broadcasting）、ＣＭＭＢ（China Mobile Multimedia Broadcasting）、Ｔ−ＤＭＢ（Terrestrial−Digital Media Broadcasting）、Ｓ−ＤＭＢ（Satellite−Digital Media Broadcasting）ＩＳＤＢ−Ｔ（Integrated Services Digital Broadcasting−Terrestrial）、ＩＳＤＢ−ＴＳＢ（Integrated Services Digital Broadcasting−Terrestrial Sound Broadcasting）、ＩＳＤＢ−Ｔｍｍ（Integrated Services Digital Broadcasting Mobile Multimedia）、ＡＴＳＣ（Advanced Television Systems Committee）、ＡＴＳＣ−Ｍ／Ｈ（Advanced Television Systems Committee−Mobile / Handheld）、ＭｅｄｉａＦＬＯ（Forward Link Only）、ＤＡＢ（Digital Audio Broadcasting）などを含む。以下、本発明の実施例を図面を用いて説明する。
【実施例１】
【００１１】
図１は、実施例１にかかるデジタル放送受信装置の構成図を示す。デジタル放送受信装置１０は２つの異なる放送規格である第１放送規格と第２放送規格の番組を受信可能であり、２つのアンテナ１，２、フロントエンド処理部１１、バックエンド処理部１２、出力部２２、制御部２３、記憶部２４、入力部２５、通信部２６を備えて構成される。フロントエンド処理部１１は、第１選局部１３、第２選局部１４、第１切替部１５、第２切替部１６、第１放送復調部１７、第２放送復調部１８を含む。バックエンド処理部１２は、第１放送デコード部１９、第２放送デコード部２０、出力選択部２１を含む。このうち、第１放送復調部１７と第１放送デコード部１９は第１放送規格に対応し、第２放送復調部１８と第２放送デコード部２０は第２放送規格に対応する。以下、各部の動作を説明する。
【００１２】
アンテナ１は第１放送規格及び第２放送規格の放送電波を受信し第１選局部１３に出力する。第１選局部１３は制御部２３の指示に従い、所定の周波数チャンネルを抽出・周波数変換した後、チャンネル信号を第１切替部１５に出力する。第１切替部１５は制御部２３の指示に従い、供給されたチャンネル信号を第１放送復調部１７又は第２放送復調部１８のいずれか一方に出力する。またアンテナ２、第２選局部１４、第２切替部１６は、それぞれ前記したアンテナ１、第１選局部１３、第１切替部１５と同様の構成であり、制御部２３の指示に従い、供給されたチャンネル信号を第１放送復調部１７又は第２放送復調部１８のいずれか一方に出力する。
【００１３】
第１放送復調部１７は第１放送規格の伝送路復調処理が可能で、供給されたチャンネル信号に対し第１放送規格の伝送路復調処理を施した後、第１のデータストリーム信号を出力する。伝送路復調処理には伝送路で生じる誤りを訂正する処理が含まれ、誤り訂正符号化として、ＬＤＰＣ（Low Density Parity Check）符号化やＲＳ（Reed Solomon）符号化などがある。その際第１放送復調部１７は、第１切替部１５又は第２切替部１６のいずれか一方からチャンネル信号が供給された場合は１つの信号に基づく受信動作（以下、単一信号受信動作と呼ぶ）を行うが、第１切替部１５及び第２切替部１６の両方からチャンネル信号が供給された場合は、両者の信号を合成して伝送路復調処理（以下、ダイバーシティ受信動作と呼ぶ）を行う。ダイバーシティ受信動作はその方法を限定するものではなく、例えば、信号レベルが最大のチャンネル信号を選択する選択合成法、各チャンネル信号の位相を合わせて合成する等位相合成法、各チャンネル信号の位相を合わせた後に合成波のＣＮＲ（Carrier to Noise Ratio）が最大となるように各チャンネル信号を重み付け合成する最大比合成法などを適用することができる。
【００１４】
第２放送復調部１８は第２放送規格の伝送路復調処理が可能で、供給されたチャンネル信号に対し第２放送規格の伝送路復調処理を施した後、第２のデータストリーム信号を出力する。その際第２放送復調部１８は、第１切替部１５又は第２切替部１６のいずれか一方からチャンネル信号が供給された場合は単一信号受信動作を行うが、第１切替部１５及び第２切替部１６の両方からチャンネル信号が供給された場合は、両者の信号を合成してダイバーシティ受信動作を行う。
【００１５】
第１放送デコード部１９は、第１放送復調部１７から第１放送規格の第１のデータストリームを入力し、第１のデータストリームを映像データや音声データ、システム情報などに分離すると共に、映像データや音声データをそれらの符号化方式に従い復号（デコード）し、出力選択部２１に出力する。システム情報は番組に関連する補助的な情報で、例えばＩＳＤＢ−Ｔ規格などではＰＳＩ／ＳＩ（Program Specific Information / Service Information）を含む。映像符号化方式には、例えば、ＭＰＥＧ−２（Moving Picture Experts Group−2）、Ｈ．２６４、ＡＶＳ（Audio Video coding Standard）、音声符号化方式には、例えば、ＭＰＥＧ−２  ＡＡＣ（Advanced Audio Coding）、ＡＣ−３（Audio Codec number 3）、ＤＲＡ（Digital Rise Audio）などがある。
【００１６】
第２放送デコード部２０は、第２放送復調部１８から第２放送規格の第２のデータストリームを入力し、第２のデータストリームを映像データや音声データ、システム情報などに分離すると共に、映像データや音声データをそれらの符号化方式に従い復号し、出力選択部２１に出力する。
【００１７】
出力選択部２１は制御部２３の指示に従い、第１放送デコード部１９又は第２放送デコード部２０のいずれか一方からの映像・音声復号データを選択し、出力部２２に出力する。出力部２２は、モニタやスピーカなどで構成され、供給された映像復号データをモニタに表示すると共に音声復号データをスピーカに出力する。
【００１８】
制御部２３は、デジタル放送受信装置１０の全体の動作制御を行う。特に本実施例では、通常受信時とサーチ処理時とで、ダイバーシティ受信動作と単一信号受信動作とを切り替える。すなわち、受信状態が良好な通常受信時には、放送規格に応じて第１放送復調部１７又は第２放送復調部１８にてダイバーシティ受信動作を行い、その映像／音声データを出力部２２に出力するように、第１切替部１５、第２切替部１６及び出力選択部２１を制御する。一方、受信状態が悪化し他チャンネルのサーチ処理を行う時は、第１放送復調部１７と第２放送復調部１８をいずれも単一信号受信動作に切り替え、２系統の信号処理を行うよう各切替部を制御する。一方の系統では、視聴中チャンネルの映像／音声データを出力部２２へ出力する。他方の系統では、サーチ用チャンネルを受信し、そのシステム情報から所望の番組が含まれていることを確認し、フロントエンド処理部１１にて映像／音声データの信号品質値を取得する。
【００１９】
記憶部２４は、デジタル放送受信装置１０に内蔵されるメモリ、又は取り外し可能な外部メモリで構成され、各種情報を格納する。特に本実施例では、後述する同一番組情報や中継局チャンネル情報などを格納し、これらの情報はサーチ処理の際に参照される。
【００２０】
入力部２５は、リモコンボタンやモニタ上に表示されたタッチパネルを介してユーザが操作した情報を入力し、制御部２３に送る。
【００２１】
通信部２６は、無線ＬＡＮ（Local Area Network）、Ｂｌｕｅｔｏｏｔｈ（登録商標）、赤外線通信、ＩＣタグ機能、ＴｒａｎｓｆｅｒＪＥＴ（登録商標）、ＬＴＥ（Long Term Evolution）、ＨＳＰＡ（High Speed Packet Access）、ＥＶ−ＤＯ（Evolution Data Only）、及びＷｉＭＡＸなどの無線通信機能、又は、Ｅｔｈｅｒｎｅｔ（登録商標）等の有線通信機能を備え、外部機器との間で各種情報を送受信する。通信部２６は、無線通信のためにアンテナ及び変復調回路などを含む。
【００２２】
図２は、記憶部２４に格納される同一番組情報のデータ構造の例を示す図である。同一番組情報２００とは、異なる放送規格で放送されている番組のうち、互いに同一内容の番組がどれかを示す情報である。該当する番組については、それらの個別識別が可能な情報（例えば、サービスＩＤ）を並べて記憶する。本例では、第１放送規格と第２放送規格とで同一番組の組合せが３通り（Ｎｏ．１〜３）存在し、例えばＮｏ．１では、第１放送規格のサービスＩＤ「０ｘ２２２２」の番組と第２放送規格のサービスＩＤ「０ｘ１２３４」の番組が同一内容の番組である。このように同一番組情報をサービスＩＤで管理するのは、サービスＩＤはシステム情報から容易に所得でき、また、同一内容の番組であってもそれらの番組名は放送規格によって同一とは限らないからである。
【００２３】
同一番組情報の入手については、番組情報サービスとして配信されている場合には通信部２６よりダウンロードして取得する。また、同一番組情報が番組に含めて送出されている場合は、第１放送デコード部１９又は第２放送デコード部２０において抽出して取得できる。同一番組情報が外部から直接取得できない場合は、モニタ等に各放送規格の番組リストを表示し、ユーザが同一内容の番組を指定することで番組のペアリングを行うことができる。このようにして取得又は生成した同一番組情報は、予め記憶部２４に格納しておく。なお、移動体受信の場合は、受信地域により放送番組が異なるので、随時新しい情報を取得し更新するようにする。
【００２４】
図３は、本実施例における受信番組の切り替え処理を説明する概念図である。この例では、第１放送規格の送信局Ａと第２放送規格の送信局Ｂが存在し、それらの受信エリア内を移動体（自動車）で走行して（地点ａ〜ｄの走行経路）、これに搭載したデジタル放送受信装置１０にて受信動作を行う。送信局Ａから送出される第１放送規格の放送電波に対し、アンテナ１本で受信可能なエリアを符号３０１、アンテナ２本で受信可能なエリアを符号３０２で示す。同様に、送信局Ｂから送出される第２放送規格の放送電波に対し、アンテナ１本で受信可能なエリアを符号３０３、アンテナ２本で受信可能なエリアを符号３０４で示す。当然ながら、アンテナ１本で受信する場合は前記した単一信号受信動作となるので受信エリアは狭いが、アンテナ２本で受信する場合は前記したダイバーシティ受信動作となるので受信エリアは広くなる。
【００２５】
送信局Ａからは第１放送規格の番組Ａが送出され、送信局Ｂからは第２放送規格の番組Ｂが送出されている。移動体（受信装置）は地点ａにて送信局Ａからの番組Ａを選局し、以後の走行中は番組Ａ（又はその同一番組）を継続して視聴するものとする。地点ｃに達すると送信局Ａからの受信エリアから外れるので、その前に受信可能な送信局Ｂからの番組Ｂをサーチ処理し、番組Ｂの受信に切り替えることができる。ここに本実施例では、記憶部２４に格納した同一番組情報２００を参照して、第１放送規格の番組Ａと第２放送規格の番組Ｂとが同一内容の番組であるか否か（言い換えれば、第２放送規格において番組Ａと同一内容の番組Ｂが存在するか否か）を判定し、判定結果に応じて受信切り替え動作を異ならせる。これを図３中の（１）（２）に分けて示す。
【００２６】
（１）は、第２放送規格において番組Ａと同一内容の番組Ｂが存在しない場合である。この場合は、第２放送規格における番組Ｂのサーチ処理を行わず、現在受信中の番組Ａのダイバーシティ受信を保持する。その結果、地点ａ〜ｃで番組Ａをアンテナ２本でダイバーシティ受信することになり、アンテナ１本の場合の受信エリア３０１よりも広い受信エリア３０２にて安定して受信することができる。
【００２７】
（２）は、第２放送規格において番組Ａと同一内容の番組Ｂが存在する場合である。この場合は、番組Ａを受信しながら定期的にサーチ処理を行い、サーチ処理に成功したら番組Ｂの受信に切り替える。ここで定期的サーチ処理とは、番組Ａのダイバーシティ受信動作の途中で、定期的に（又は番組Ａの受信状態が低下したとき）同一内容番組Ｂのサーチ処理を繰り返す。サーチ処理の期間は番組Ａの受信は単一信号受信動作（アンテナ１本）に切り替えて継続し、サーチ処理が失敗したら番組Ａのダイバーシティ受信動作（アンテナ２本）に戻す。この例では、地点ｂを超え、アンテナ１本で番組Ｂを受信可能なエリア３０３に進入するとサーチ処理が成功し、番組Ｂのダイバーシティ受信動作（アンテナ２本）に切り替える。この結果、番組Ａが受信不可となる前の適切なタイミングで番組Ｂの受信に切り替え、同一内容の番組を全走行経路（ａ〜ｄ）に渡り継続して視聴することができる。
【００２８】
以上の切り替え動作を従来の動作と比較する。従来の動作では、同一内容の番組Ｂが存在するか否かに関わらず番組Ｂのサーチ処理を行っていた。その結果、同一内容の番組Ｂが存在しない場合にはサーチ処理を行っても所望の番組Ｂが探索できず、無駄なサーチ処理を繰り返して行うことになる。そして、サーチ処理中はアンテナ１本による単一信号受信動作であるため、視聴中の番組Ａの受信状態が悪化し、またその受信エリアは符号３０２から３０１に狭くなる問題があった。これに対して本実施例では、現在視聴中の第１放送規格の番組Ａと同一内容の番組Ｂが第２放送規格において存在するか否かに応じて、サーチ処理の要否を決定する。これにより、無駄なサーチ処理がなくなり、またダイバーシティ受信の期間が長くなることで良好で安定した受信状態を確保できる。
【００２９】
図４は、図３に示した受信切り替え処理の手順を示すフローチャートである。デジタル放送受信装置１０の受信動作は、制御部２３の指示に従って各部が実行する。ユーザからの選局操作情報が入力部２５より入力されると、制御部２３は本フローチャートを開始する。以下、ユーザが図３の地点ａで第１放送規格の番組Ａを選局したものとする。
【００３０】
ステップＳ４００において、制御部２３は、ダイバーシティ受信動作にて第１放送規格の番組Ａを選局・受信する。具体的には、第１選局部１３及び第２選局部１４は番組Ａの周波数チャンネルを選局し、第１切替部１５及び第２切替部１６は出力先を第１放送復調部１７に設定し、第１放送復調部１７はダイバーシティ受信動作を実行する。すなわち、全てのアンテナ１、２を用いて番組Ａの受信が行われる。また出力選択部２１は、第１放送デコード部１９で復号した番組Ａの映像・音声復号データを選択し、出力部２２に供給する（図３、地点ａ）。
【００３１】
ステップＳ４０１において、第１放送デコード部１９は入力したデータストリームからシステム情報を抽出し、この中に含まれる番組ＡのサービスＩＤを取得する。制御部２３は、記憶部２４に格納されている同一番組情報２００を参照し、番組Ａと同一内容の番組が第２放送規格の番組に存在するかどうかを判定する。同一内容の番組（番組Ｂとする）が存在する場合はステップＳ４０２に進み、存在しない場合は本フローチャートを終了する。すなわち、取得した番組ＡのサービスＩＤが図２の第１放送規格に記述されたサービスＩＤに該当しない場合は、以下のサーチ処理を実行しない。サーチ処理を行わない場合は、図３の地点ａ〜ｃの間で全てのアンテナ１、２を用いて番組Ａのダイバーシティ受信動作を継続する。
【００３２】
ステップＳ４０２において、制御部２３は、時間カウントを行い所定時間（例えば、１分、５分、１０分など）が経過したかどうかを判定する。所定時間が経過した場合はステップＳ４０３に進みサーチ処理を実行し、所定時間が経過していない場合はステップＳ４０２を繰り返す。なお、所定時間が経過してステップＳ４０３のサーチ処理を実行した後にステップＳ４０２に戻るときは、時間カウントをリセットすることで、所定時間間隔で定期的にサーチ処理を実行することができる。
【００３３】
ステップＳ４０３において、制御部２３は、フロントエンド処理部１１のダイバーシティ受信動作を解除する。そして、第１選局部１３からの単一信号受信動作に切り替えて番組Ａの受信を継続しながら、第２放送規格で放送されている同一内容の番組Ｂをサーチする。具体的には、第２選局部１４は番組Ｂの周波数チャンネルを選局し、第２切替部１６は出力先を第２放送復調部１８に設定する。第２放送復調部１８は伝送路復調処理を実行し、第２放送デコード部２０は入力したデータストリームからシステム情報を抽出する。制御部２３は抽出したシステム情報から、選局したチャンネル信号に番組Ｂが含まれていることを確認した後、フロントエンド処理部１１より番組Ｂの信号品質値を取得する。ここで信号品質値とは、例えば、同期状態、受信電力、ＣＮＲ、誤り訂正処理におけるＢＥＲ（Bit Error Rate）やＰＥＲ（Packet Error Rate）などから算出される値である。なお、信号品質値が大きい（エラーレートが低い）ほど受信状態は良好であるものとする。
【００３４】
ステップＳ４０４において、制御部２３は、取得した番組Ｂの信号品質値が所定条件を満足するかどうかを判定する。所定条件を満足する場合はステップＳ４０６に進み、所定条件を満足しない場合はステップＳ４０５に進む。この判定条件は、例えば、番組Ｂの信号品質値が受信中の番組Ａの信号品質値よりも大きい場合、番組Ｂの信号品質値が番組Ａの信号品質値に所定値αを加えた値よりも大きい場合、あるいは番組Ｂの信号品質値自身が受信に必要な最小値以上であれば、所定条件を満足すると判定する。前二者の条件によれば、少なくとも番組Ａの品質よりも良好な品質で番組Ｂを受信できることが期待できる。
【００３５】
ステップＳ４０５において、制御部２３はサーチ処理を完了し、ダイバーシティ受信動作による番組Ａの選局・受信に戻す。そして、ステップＳ４０２に戻る。
【００３６】
ステップＳ４０６において、制御部２３は、ダイバーシティ受信動作にて第２放送規格の番組Ｂを選局・受信する。具体的には、第１選局部１３及び第２選局部１４は番組Ｂの周波数チャンネルを選局し、第１切替部１５及び第２切替部１６は出力先を第２放送復調部１８に設定し、第２放送復調部１８は全てのアンテナ１、２を用いたダイバーシティ受信動作を実行する。また出力選択部２１は、第２放送デコード部２０で復号した番組Ｂの映像・音声復号データを選択し、出力部２２に供給する（図３、地点ｂ）。これにより、番組Ａから番組Ｂへの受信切り替えを完了する。
【００３７】
なお、上記ステップＳ４０２においては、時間経過を判定する代わりに番組Ａの受信状態から判定しても良い。具体的には、制御部２３は、フロントエンド処理部１１より番組Ａの受信状態を示す信号品質値を取得し、信号品質値が所定値より低下していると判定した場合はステップＳ４０３に進み、低下していないと判定した場合はステップＳ４０２を繰り返す。経過時間に代えて信号品質値を判定することで、受信中の信号品質が所定値より悪化することなく、より適切なタイミングでサーチ処理を実行することができる。
【００３８】
以上のように、本実施例のデジタル放送受信装置１０は、第１放送規格と第２放送規格で同一内容の番組（それぞれ番組Ａと番組Ｂ）が放送されていない場合は、番組Ａのダイバーシティ受信動作を保持し番組Ｂのサーチ処理を実行しないことで、無駄なサーチ処理をなくし、番組Ａを良好な品質で安定して受信できる。一方、第１放送規格と第２放送規格で同一内容の番組が放送されている場合は、番組Ａの受信中に定期的に（又は番組Ａの受信状態が低下した際）サーチ処理を実行し、番組Ａが受信不可となる前の適切なタイミングで番組Ｂの受信に切り替え、同一内容の番組Ａ，Ｂを継続して視聴することができる。
【実施例２】
【００３９】
実施例２は、第１放送規格と第２放送規格とで伝送容量やエラー耐性に差異を有している場合に好適な受信動作の例である。以下、第１放送規格は伝送容量が大きく高品質な放送であるが、エラー耐性に弱く放送電波の受信状態が比較的良好でないと受信することができないものとする。一方、第２放送規格は伝送容量が小さく低品質な放送であるが、エラー耐性に強く放送電波の受信状態が比較的不良であっても受信することができるものとする。このような放送方式の具体例として、例えば中国において、第１放送規格にはＤＴＭＢ規格、第２放送規格にはＣＭＭＢ規格が相当する。
【００４０】
デジタル放送受信装置１０は、実施例１（図１）で説明した構成と同一であるため説明を省略し、制御部２３の指示に従って実行される受信動作を説明する。ここで記憶部２４には、第１放送規格と第２放送規格のどちらが高品質な放送であるかの品質情報を、予め記憶させている。
【００４１】
図５は、実施例２における受信番組の切り替え処理を説明する概念図である。この例では、第１放送規格の送信局Ａと第２放送規格の送信局Ｂに続いて、第１放送規格の送信局Ｃを追加した。これは、第１放送規格（送信局Ａ）から第２放送規格（送信局Ｂ）へ切り替える場合と、第２放送規格（送信局Ｂ）から第１放送規格（送信局Ｃ）へ切り替える場合とで、サーチ処理が異なることを説明するためである。移動体は各送信局Ａ，Ｂ，Ｃの受信エリア内の経路（地点ａ〜ｅ）を走行して、これに搭載したデジタル放送受信装置１０にて受信動作を行う。エリア５０１，５０２は、それぞれ送信局Ａから送出される放送電波をアンテナ１本及び２本で受信可能なエリアを示す。エリア５０３，５０４は、それぞれ送信局Ｂから送出される放送電波をアンテナ１本及び２本で受信可能なエリアを示す。さらにエリア５０５，５０６は、それぞれ送信局Ｃから送出される放送電波をアンテナ１本及び２本で受信可能なエリアを示す。
【００４２】
送信局Ａからは第１放送規格の番組Ａが送信され、送信局Ｂからは第２放送規格の番組Ｂが送信され、さらに送信局Ｃからは第１放送規格の番組Ａが送信されている。上記したように、第１放送規格（番組Ａ）は高品質な放送で第２放送規格（番組Ｂ）は低品質な放送である。移動体（受信装置）は走行しながらサーチ処理を行い、送信局Ａからの番組Ａ、送信局Ｂからの番組Ｂ、送信局Ｃからの番組Ａの受信に切り替えることで、番組Ａ（又はその同一番組）を継続して受信するものとする。本実施例においても、記憶部２４に格納した同一番組情報２００を参照して、第２放送規格において番組Ａと同一内容の番組Ｂが存在するか否かに応じて、受信切り替え動作を異ならせる。さらに本実施例では、受信切り替え前後の放送規格の品質の違いに応じて、サーチ処理のタイミングを変えるようにした。これらの動作を図５中の（１）（２）に示す。
【００４３】
（１）は、第２放送規格において番組Ａと同一内容の番組Ｂが存在しない場合である。この場合は、第２放送規格における番組Ｂのサーチ処理を行わず、送信局Ａ及び送信局Ｃからの番組Ａのダイバーシティ受信を保持する。その結果、地点ａ〜ｂ、地点ｃ〜ｅで番組Ａをアンテナ２本でダイバーシティ受信することになり、アンテナ１本の場合の受信エリアよりも広い受信エリア５０２，５０６にて安定して受信することができる。
【００４４】
（２）は、第２放送規格において番組Ａと同一内容の番組Ｂが存在する場合である。この場合は番組Ａと番組Ｂとの間で切り替えを行うが、番組Ａは番組Ｂよりも高品質であるので番組Ａを優先して受信する。すなわち、番組Ａから番組Ｂへ切り替える際のサーチ処理は、番組Ａが受信不可となったタイミングで行うようにして、高品質な番組Ａを長い期間（地点ａ〜ｂ）においてダイバーシティ受信動作する。一方、番組Ｂから番組Ａへ切り替える際のサーチ処理は定期的に行うようにして、番組Ａへの切り替えタイミングを早くし、低品質の番組Ｂのダイバーシティ受信動作を短い期間（地点ｂ〜ｄ）で終了させるようにする。
【００４５】
図６は、図５に示した受信切り替え処理の手順を示すフローチャートである。ここでは前記実施例１（図４のフローチャート）と異なる箇所を中心に説明し、重複する箇所は省略、又は簡単に説明する。制御部２３は記憶部２４に記憶している第１放送規格と第２放送規格の品質情報を参照して、以下のフローチャートにおけるサーチ処理のタイミングを設定する。ユーザは図５の地点ａで、送信局Ａからの第１放送規格の番組Ａ（高品質）を選局したものとする。
【００４６】
ステップＳ６００において、制御部２３は、ダイバーシティ受信動作にて第１放送規格の番組Ａを選局・受信する。具体的には、第１選局部１３及び第２選局部１４で番組Ａの周波数チャンネルを選局し、第１放送復調部１７にてダイバーシティ受信動作を実行し、第１放送デコード部１９で復号した番組Ａの映像・音声復号データを出力する（図５、地点ａ）。
【００４７】
ステップＳ６０１において、第１放送デコード部１９は番組ＡのサービスＩＤを取得し、制御部２３は記憶部２４に格納されている同一番組情報２００を参照し、番組Ａと同一内容の番組が第２放送規格の番組に存在するかどうかを判定する。同一内容の番組（番組Ｂ）が存在する場合はステップＳ６０２に進みサーチ処理を行い、存在しない場合はサーチ処理を行わずに本フローチャートを終了する。すなわち後者の場合は、図５の地点ａ〜ｂ、及び地点ｃ〜ｅの間で、番組Ａのダイバーシティ受信動作を行うことになる。
【００４８】
ステップＳ６０２からステップＳ６０６は、第１放送規格の番組Ａ（高品質、送信局Ａ）から第２放送規格の番組Ｂ（低品質、送信局Ｂ）への受信切り替え動作である。
【００４９】
ステップＳ６０２において、制御部２３は、番組Ａの受信状態が低下して受信不可が発生したかどうかを判定する。具体的には、フロントエンド処理部１１より番組Ａの信号品質値を取得し、許容値と比較して受信不可の発生を判定する。受信不可が発生した場合はステップＳ６０３に進み、受信不可が発生していない場合はステップＳ６０２を繰り返す。
【００５０】
ステップＳ６０３において、制御部２３は、フロントエンド処理部１１のダイバーシティ受信動作を解除し、第１選局部１３からの単一信号受信動作に切り替えて番組Ａを継続受信しながら、第２放送規格で放送されている同一内容の番組Ｂをサーチする。制御部２３は抽出したシステム情報から、選局したチャンネル信号に番組Ｂが含まれていることを確認した後、フロントエンド処理部１１より番組Ｂの信号品質値を取得する。
【００５１】
ステップＳ６０４において、制御部２３は、番組Ｂの信号品質値が所定条件を満足するかどうかを判定する。所定条件を満足する場合はステップＳ６０６に進み、所定条件を満足しない場合はステップＳ６０５に進む。この判定条件は、例えば番組Ｂの信号品質値が受信に必要な最小値以上であることとする。
【００５２】
ステップＳ６０５において、制御部２３はサーチ処理を完了し、ダイバーシティ受信動作による番組Ａの選局・受信に戻す。そして、ステップＳ６０２に戻る。
【００５３】
ステップＳ６０６において、制御部２３は、ダイバーシティ受信動作にて第２放送規格の番組Ｂを選局・受信する。具体的には、第１選局部１３及び第２選局部１４で番組Ｂの周波数チャンネルを選局し、第２放送復調部１８にてダイバーシティ受信動作を実行し、第２放送デコード部２０で復号した番組Ｂの映像・音声復号データを出力する（図５、地点ｂ）。これにより、第１放送規格の番組Ａ（高品質）から第２放送規格の番組Ｂ（低品質）への受信切り替えを完了する。
【００５４】
次にステップＳ６０７からステップＳ６１１は、第２放送規格の番組Ｂ（低品質、送信局Ｂ）から第１放送規格の番組Ａ（高品質、送信局Ｃ）への受信切り替え動作である。
【００５５】
ステップＳ６０７において、制御部２３は、図４のステップＳ４０２と同様に、時間カウントを行い所定時間が経過したかどうかを判定する。所定時間が経過した場合はステップＳ６０８に進みサーチ処理を実行し、所定時間が経過していない場合はステップＳ６０７を繰り返す。
【００５６】
ステップＳ６０８において、制御部２３は、フロントエンド処理部１１のダイバーシティ受信動作を解除し、第２選局部１４からの単一信号受信動作に切り替えて番組Ｂを継続受信しながら、第１放送規格で放送されている同一内容の番組Ａをサーチする。具体的には、第１選局部１３は番組Ａの周波数チャンネルを選局し、第１切替部１５は出力先を第１放送復調部１７に設定する。第１放送復調部１７は伝送路復調処理を実行し、第１放送デコード部１９はシステム情報を抽出する。制御部２３は抽出したシステム情報から、選局したチャンネル信号に番組Ａが含まれていることを確認した後、フロントエンド処理部１１より番組Ａの信号品質値を取得する。
【００５７】
ステップＳ６０９において、制御部２３は、番組Ａの信号品質値が所定条件を満足するかどうかを判定する。所定条件を満足する場合はステップＳ６１１に進み、所定条件を満足しない場合はステップＳ６１０に進む。この判定条件は、例えば番組Ａの信号品質値が受信に必要な最小値以上であることとする。
【００５８】
ステップＳ６１０において、制御部２３はサーチ処理を完了し、ダイバーシティ受信動作による番組Ｂの選局・受信に戻す。そして、ステップＳ６０７に戻る。
【００５９】
ステップＳ６１１において、制御部２３は、ダイバーシティ受信動作にて第１放送規格の番組Ａを選局・受信する。具体的には、第１選局部１３及び第２選局部１４で番組Ａの周波数チャンネルを選局し、第１放送復調部１７にてダイバーシティ受信動作を実行し、第１放送デコード部１９で復号した番組Ａの映像・音声復号データを出力する（図５、地点ｄ）。これにより、第２放送規格の番組Ｂ（低品質）から第１放送規格の番組Ａ（高品質）への受信切り替えを完了する。
ステップＳ６１１の処理を実行した後、ステップＳ６０２に移行する。
【００６０】
なお、上記ステップＳ６０７においては、時間経過を判定する代わりに番組Ｂの受信状態から判定しても良い。具体的には、制御部２３は、フロントエンド処理部１１より番組Ｂの信号品質値を取得し、信号品質値が基準値よりも低下していると判定した場合はステップＳ６０８に進み、低下していないと判定した場合はステップＳ６０７を繰り返す。
【００６１】
以上のように、実施例２においても、第１放送規格と第２放送規格で同一内容の番組（それぞれ番組Ａと番組Ｂ）が放送されていない場合は、視聴中の番組Ａのダイバーシティ受信動作を保持し番組Ｂのサーチ処理を実行しないことで、無駄なサーチ処理を止め、番組Ａを良好な品質で安定して受信できる。一方、第１放送規格と第２放送規格で品質の異なる同一内容の番組が放送されている場合は、高品質の番組Ａを視聴中には番組Ａが受信不可となった時点で低品質の番組Ｂのサーチ処理を実行し、番組を切り替える。逆に高品質の番組Ｂを視聴中には定期的に（あるいは番組Ｂの品質が基準値よりも低下した時点で）番組Ａのサーチ処理を実行し、番組を切り替える。これにより、高品質の番組Ａを低品質の番組Ｂよりも優先して受信することができる。
【００６２】
上記の実施例では、放送規格により品質が異なる場合について説明したが、ユーザの選択で受信する放送規格又は番組の優先度を設定することもできる。
【００６３】
図７は、出力部２２のモニタ７０に表示される優先受信設定メニューの例である。優先受信設定メニューとは、第１放送規格の番組と第２放送規格の番組で同一内容の番組が存在する場合に、いずれの放送規格の番組を優先的に受信するかをユーザが選択する機能である。ユーザは、リモコン操作又は画面タッチ操作にて優先させる放送規格を選択する。この例ではユーザが「第１放送規格」を選択した場合を示す（実線枠で示す）。ユーザが選択した情報は記憶部２４に設定される。制御部２３は受信動作の際、記憶部２４の設定情報に従い、優先設定された放送規格を「第１放送規格」として図６で示したフローチャートを実行する。
【００６４】
また図８は、出力部２２のモニタ８０に表示される番組一覧メニューの例である。ユーザは、リモコン操作又は画面タッチ操作にて、優先して受信したい番組を選択する。この例では、第１放送規格の「番組Ａ」と第２放送規格の「番組Ｂ」が同一内容の番組であるとき、ユーザが「番組Ａ」を選択した場合を示す（実線枠で示す）。ユーザが選択した情報は記憶部２４の同一番組情報２００に追記して設定される。制御部２３は受信動作の際、記憶部２４の同一番組情報２００を参照し、優先設定された番組が属する放送規格を「第１放送規格」として図６で示したフローチャートを実行する。
【実施例３】
【００６５】
実施例３は、第１放送規格で放送する複数の送信局が異なる周波数チャンネルで放送電波を送出している場合に好適な受信動作の例である。以下、このような送信局を「中継局」と呼び、第２放送規格を放送している「送信局」と区別する。本実施例では、第１放送規格と第２放送規格の間の受信切り替えだけでなく、第１放送規格に属する複数の中継局の間での受信切り替えも可能とする。なお、前記実施例２と同様に、第１放送規格は高品質、第２放送規格は低品質な放送であって、第１放送規格を優先して受信するものとする。
【００６６】
図９は、実施例３にかかるデジタル放送受信装置の構成図を示す。同図において、実施例１（図１）で示したデジタル放送受信装置１０と同一処理を行うブロックには同一符号を付して、その詳細な説明は省略する。
【００６７】
本実施例のデジタル放送受信装置９０は、図１の構成と比較し、フロントエンド処理部９１において、第１復調部１７’と第２復調部１８’を変更し、バックエンド処理部９２において、経路選択部２７、第１放送情報抽出部２８、第２放送情報抽出部２９を追加している。
【００６８】
第１復調部１７’と第２復調部１８’は、第１放送規格及び第２放送規格の両方の伝送路復調処理を行うことが可能であり、第１切替部１５及び第２切替部１６からチャンネル信号が供給された場合は、両者の信号を合成するダイバーシティ受信動作を行う。
【００６９】
経路選択部２７は、第１復調部１７’からのデータストリーム（端子ａ）と第２復調部１８’からのデータストリーム（端子ｂ）を入力する。また制御部２３の指示に従い、入力したこれらのデータストリームを、第１放送デコード部１９（端子ｃ）、第２放送デコード部２０(端子ｄ)、第１放送情報抽出部２８（端子ｅ）、第２放送情報抽出部２９（端子ｆ）のいずれかに供給する。
【００７０】
第１放送情報抽出部２８は、第１放送規格のデータストリームを入力し、システム情報を分離・抽出して制御部２３に供給する。第２放送情報抽出部２９は、第２放送規格のデータストリームを入力し、システム情報を分離・抽出して制御部２３に供給する。
【００７１】
本実施例の構成により、第１放送規格と第２放送規格の２つの放送の同時受信だけでなく、第１放送規格に属する異なる２つの周波数チャンネルの同時受信も可能となる。
【００７２】
図１０は、記憶部２４に格納される中継局チャンネル情報のデータ構造の例を示す図である。中継局チャンネル情報１０００は、番組（サービスＩＤ）毎にその番組を送出する全ての周波数チャンネルを記述した情報であって、ここでは第１放送規格における中継局チャンネル情報を示している。例えばサービスＩＤ「０ｘ１１１１」の番組は、中継局チャンネルとして１３、２０、３４、４０チャンネルが存在することを示している。また、サービスＩＤ「０ｘ３３３３」の番組は、中継局チャンネルとして１５チャンネルのみ存在することを示している。中継局チャンネル情報１０００は、放送番組のシステム情報に中継局チャンネル情報を含めて送出し、番組受信時にバックエンド処理部９２より分離・抽出して取得することが可能である。あるいは、通信部２６よりダウンロードして取得することが可能である。取得した中継局チャンネル情報１０００は、記憶部２４に格納しておく。
【００７３】
実施例３では、第１放送規格の番組Ａを受信している場合、受信切り替え先として、これと同一番組である他の中継局からの番組Ａと、同一内容の番組である第２放送規格の番組Ｂとが可能である。ここでは第１放送規格の放送を優先して受信するものとし、始めに他の中継局からの番組Ａをサーチし、次に第２放送規格の番組Ｂをサーチするという、２段のサーチ処理を実行する。そして、いずれのサーチ処理においても、同一番組（同一内容の番組）の切替先チャンネルが存在するか否かを確認し、存在するときのみサーチ処理を実行することで無駄なサーチ処理を止めるようにしている。
【００７４】
図１１は、実施例３における受信切り替え処理の手順を示すフローチャートである。ここでは、実施例１（図４）のフローチャートに中継局チャンネルのサーチ処理を追加した構成になっており、重複する箇所は簡単に説明する。本例でも、ユーザが第１放送規格の番組Ａ（高品質）を選局した状態から開始する。
【００７５】
ステップＳ１１００において、制御部２３は、ダイバーシティ受信動作にて第１放送規格の番組Ａを選局・受信する。具体的には、第１選局部１３及び第２選局部１４で番組Ａの周波数チャンネルを選局し、第１復調部１７’にて第１放送規格のダイバーシティ受信動作を実行する。第１復調部１７’にて伝送路復調処理された番組Ａのデータストリームは、経路選択部２７の端子ａ、端子ｃを経由し、第１放送デコード部１９にて復号され、番組Ａの映像・音声復号データが出力する。
【００７６】
ステップＳ１１０１において、制御部２３は、時間カウントを行い所定時間が経過したかどうかを判定する。所定時間が経過した場合はステップＳ１１０２に進み、所定時間が経過していない場合はステップＳ１１０１を繰り返す。
【００７７】
ステップＳ１１０２からステップＳ１１０５は、第１放送規格の番組Ａ（高品質）から同一番組Ａの他の中継局への受信切り替え動作（第１段のサーチ処理）に関する。
【００７８】
ステップＳ１１０２において、制御部２３は、記憶部２４に記憶されている番組Ａの中継局チャンネル情報１０００を参照し、現在視聴しているチャンネル以外のチャンネルが存在するかどうか（すなわち、中継局チャンネルが２つ以上存在するかどうか）を判定する。他の中継局チャンネルが存在する場合はステップＳ１１０３に進み、中継局チャンネルのサーチ処理（第１段のサーチ処理）を行う。存在しない場合は中継局チャンネルのサーチ処理を行なわずにステップＳ１１０６に進む。図１０で示した中継局チャンネル情報１０００の例では、サービスＩＤ「０ｘ３３３３」の番組の場合は、中継局チャンネルが１つだけであり他の中継局チャンネルが存在しないので、中継局チャンネルのサーチ処理を実行しない。
【００７９】
ステップＳ１１０３において、制御部２３は、フロントエンド処理部９１のダイバーシティ受信動作を解除し、第１選局部１３からの単一信号受信動作に切り替える。そして、記憶部２４に記憶されている番組Ａの中継局チャンネル情報１０００を参照し、これらの各中継局チャンネルについてサーチ処理を実行する。具体的には、第２選局部１４は番組Ａの中継局チャンネルの１つを選局し、第２切替部１６の出力先を第２復調部１８’に設定し、第２復調部１８’は第１放送規格の伝送路復調処理を実行する。第２復調部１８’から出力される番組Ａのデータストリームは、経路選択部２７の端子ｂ、端子ｅを経由して、第１放送情報抽出部２８に供給される。制御部２３は、第１放送情報抽出部２８にて抽出したシステム情報から番組Ａが含まれていることを確認した後、フロントエンド処理部９１より当該中継局チャンネルの信号品質値を取得する。上記処理を全ての中継局チャンネルについて実行し、その中で信号品質値が最大となる中継局チャンネルを選択する。
【００８０】
ステップＳ１１０４において、制御部２３は、選択した中継局チャンネルの受信状態が良好かどうかを判定し、良好である場合はステップＳ１１０５に進み、良好でない場合はステップＳ１１０６に進む。この判定では、ステップＳ１１０３で選択した中継局チャンネルの信号品質値が、現在視聴中のチャンネルの信号品質値よりも大きい場合は、受信状態が良好であるとする。
【００８１】
ステップＳ１１０５において、制御部２３は、ステップＳ１１０４にて受信状態が良好と判定した中継局チャンネルに対し、ダイバーシティ受信動作にて番組Ａを選局・受信する。具体的には、第１選局部１３及び第２選局部１４で上記の中継局チャンネルを選局し、第１復調部１７’にて第１放送規格のダイバーシティ受信動作を実行する。また、第１復調部１７’で伝送路復調処理された番組Ａのデータストリームを第１放送デコード部１９で復号し、番組Ａの映像・音声復号データを出力する。これにより、第１放送規格の番組Ａ（高品質）から同一番組Ａの他の中継局チャンネルへの受信切り替え動作を完了する。
【００８２】
ステップＳ１１０６からステップＳ１１１０は、同一番組Ａの他の中継局への受信切り替え動作（第１段のサーチ処理）に失敗し、同一内容の番組である第２放送規格の番組Ｂ（低品質）への受信切り替え動作（第２段のサーチ処理）を行う場合である。
【００８３】
ステップＳ１１０６において、制御部２３は、記憶部２４に記憶されている同一番組情報２００を参照し、番組Ａと同一内容の番組が第２放送規格の番組に存在するかどうかを判定する。同一内容の番組が存在する場合はステップＳ１１０８に進み、第２放送規格に対するサーチ処理（第２段のサーチ処理）を行う。存在しない場合はサーチ処理を行わずにステップＳ１１０７に進む。
【００８４】
ステップＳ１１０７において、制御部２３はサーチ処理を完了し、ダイバーシティ受信動作による番組Ａの選局・受信に戻す。そして、ステップＳ１１０１に戻り上記したステップを繰り返す。
【００８５】
ステップＳ１１０８において、制御部２３は、フロントエンド処理部９１のダイバーシティ受信動作を解除し、第１選局部１３からの単一信号受信動作に切り替えて番組Ａを継続受信しながら、第２放送規格で放送されている同一内容の番組Ｂについてサーチ処理を行う。具体的には、第２選局部１４は番組Ｂの周波数チャンネルを選局し、第２切替部１６の出力先を第２復調部１８’にし、第２復調部１８’は第２放送方式の伝送路復調処理を実行する。第２復調部１８’から出力される番組Ｂのデータストリームは、経路選択部２７の端子ｂ、端子ｆを経由して、第２放送情報抽出部２９に供給される。制御部２３は、第２放送情報抽出部２９にて抽出したシステム情報から番組Ｂが含まれていることを確認した後、フロントエンド処理部９１より番組Ｂの信号品質値を取得する。
【００８６】
ステップＳ１１０９において、制御部２３は、番組Ｂの信号品質値が所定条件を満足するかどうかを判定し、所定条件を満足する場合はステップＳ１１１０に進み、所定条件を満足しない場合はステップＳ１１０７に戻る。この判定では、例えば、番組Ｂの信号品質値が受信中の番組Ａの信号品質値よりも大きい場合、番組Ｂの信号品質値が番組Ａの信号品質値に所定値αを加えた値よりも大きい場合、あるいは、番組Ｂの信号品質値自身が受信に必要な最小値以上であれば、所定条件を満足すると判定する。
【００８７】
ステップＳ１１１０において、制御部２３は、ダイバーシティ受信動作にて第２放送規格の番組Ｂを選局・受信する。具体的には、第１選局部１３及び第２選局部１４で番組Ｂの周波数チャンネルを選局し、第２復調部１８’にてダイバーシティ受信動作を実行し、第２放送デコード部２０で復号した番組Ｂの映像・音声復号データを出力する。これにより、第１放送規格の番組Ａ（高品質）から同一内容の番組である第２放送規格の番組Ｂ（低品質）への受信切り替え動作を完了する。
【００８８】
なお上記ステップＳ１１０１においては、時間経過を判定する代わりに番組Ａの受信状態から判定しても良い。具体的には、制御部２３は、フロントエンド処理部９１より番組Ａの受信状態を示す信号品質値を取得し、信号品質値が所定値より低下していると判定した場合はステップＳ１１０２に進み、低下していないと判定した場合はステップＳ１１０１を繰り返す。経過時間に代えて信号品質値を判定することで、受信中の信号品質が所定値より悪化することなく、より適切なタイミングでサーチ処理を実行することができる。
【００８９】
以上のように実施例３では、第１放送規格と第２放送規格における同一内容の番組間での切り替えだけでなく、第１放送規格に属する中継局間で同一番組の切り替えを行う。その際、前者では第２放送規格において同一内容の番組が存在しない場合、後者では同一番組を放送している他の中継局が存在しない場合には、サーチ処理を実行しないことで、無駄なサーチ処理を止めるようにした。
【００９０】
上記した実施例３では、２段階のサーチ処理が可能であるが、先に高品質な第１放送規格の中継局チャンネルをサーチし、次に低品質な第２放送規格のチャンネルをサーチすることで、より品質の良い状態で番組を視聴できる。よって、逆に第１放送規格が低品質で第２放送規格が高品質である場合は、先に高品質な第２放送規格のチャンネルをサーチすれば良い。さらに、前記図７、図８で述べたように、ユーザがいずれを優先させるかを設定することもできる。また本実施例の動作は２段階のサーチ処理としたが、中継局サーチ処理単独の場合にも有効であることは言うまでもない。
【００９１】
以上の各実施例におけるデジタル放送受信装置の構成は、様々な変形が可能である。図１２Ａ〜図１２Ｃには、フロントエンド処理部とバックエンド処理部の他の構成例を示すが、いずれも前記各実施例に適用して同様の受信動作を実現することができる。
【００９２】
図１２Ａは、フロントエンド処理部とバックエンド処理部の変形例を示す図である。この例では、選局部と復調部を一体化した構成としている。
【００９３】
フロントエンド処理部１２０において、第１選局／復調部１２２及び第２選局／復調部１２３は、所望の周波数チャンネルを選局すると共に、第１放送規格及び第２放送規格の伝送路復調処理を実行する。その際、第１選局／復調部１２２と第２選局／復調部１２３を連携動作させてダイバーシティ受信動作を実行することが可能で、生成したデータストリームを第１選局／復調部１２２から出力する。第１選局／復調部１２２及び第２選局／復調部１２３からバックエンド処理部１２１に入力したデータストリームは、経路選択部１２４を介して第１放送デコード部１９と第２放送デコード部２０に供給され、映像・音声復号データに復号される。
【００９４】
第１放送規格の番組をダイバーシティ受信する場合は、第１選局／復調部１２２からダイバーシティ受信動作にて生成されたデータストリームが出力し、経路選択部１２４（端子ａ、ｃ）を介して第１放送デコード部１９に供給される。また、第２放送規格の番組をサーチ処理する場合は、ダイバーシティ受信動作を解除し、第２選局／復調部１２３により第２放送規格の伝送路復調処理を実行し、生成されたデータストリームを経路選択部１２４（端子ｂ、ｄ）を介して第２放送デコード部２０に供給する。第２放送デコード部２０より第２放送規格の番組のシステム情報を取得し、フロントエンド処理部１２０より信号品質値を取得する。
【００９５】
図１２Ｂは、フロントエンド処理部の変形例を示す図である。この例では、入力する放送信号の数を３個に増加させている。フロントエンド処理部１２５は３本のアンテナからの放送信号を入力し、図１２Ａの構成に対し第３選局／復調部１２６を追加している。第１放送規格の番組をダイバーシティ受信する場合は、第１、第２、第３選局／復調部１２２，１２３，１２６を連携動作させてダイバーシティ受信動作を実行する。生成されたデータストリームは、第１選局／復調部１２２から図１２Ａの経路選択部１２４の端子ａに出力する。また、第２放送規格の番組についてサーチ処理を行う場合は、第１、第２選局／復調部１２２，１２３を連携動作して第１放送規格の番組をダイバーシティ受信動作を継続すると共に、第３選局／復調部１２６にて第２放送規格の伝送路復調処理を実行し、生成された第２放送規格のデータストリームを経路選択部１２４の端子ｂに出力する。
【００９６】
図１２Ｃは、フロントエンド処理部の変形例を示す図である。この例では、入力する放送信号の数を４個に増加させている。フロントエンド処理部１２７は、４本のアンテナからの放送信号を入力し、図１２Ｂの構成に対し第４選局／復調部１２８を追加している。第１放送規格の番組をダイバーシティ受信動作にて受信する場合は、第１、第２、第３、第４選局／復調部１２２，１２３，１２６，１２８を連携動作させてダイバーシティ受信動作を実行する。生成されたデータストリームは、第１選局／復調部１２２から図１２Ａの経路選択部１２４の端子ａに出力する。また、第２放送規格の番組についてサーチ処理を行う場合は、第１、第２選局／復調部１２２，１２３を連携動作させて第１放送規格のダイバーシティ受信動作を継続すると共に、第３、第４の選局／復調部１２６，１２８を連携動作させて第２放送規格のダイバーシティ受信動作を実行する。それぞれ生成された第１、第２放送規格のデータストリームは、第１選局／復調部１２２と第３選局／復調部１２６から経路選択部１２４の端子ａと端子ｂに出力する。
【００９７】
このように３本以上の複数のアンテナを用いて受信する場合は、通常の受信動作では全てのアンテナからの入力信号を用いてダイバーシティ受信動作を行うことで、２本のアンテナを用いる場合よりも高品質なデータストリームを生成することができる。また、サーチ処理動作においては複数のアンテナを２つのグループに分け、第１のグループのアンテナを用いて第１の番組を受信すると共に、第２グループのアンテナを用いて第２の番組をサーチする構成とする。その場合、１つのグループに２本以上のアンテナを有する構成が可能となり、ダイバーシティ受信動作を実行することで、サーチ処理動作においてもより高品質なデータストリームを生成することができる。
【００９８】
本発明は上記した各実施例に限定されるものではなく、上記以外にも様々な変形例が可能である。上記した実施例は本発明を分かりやすく説明するために詳細に記載したものであり、必ずしも記載した全ての構成を備えるものに限定されるものではない。また、ある実施例の構成の一部を他の実施例の構成に置き換えることが可能であり、また、ある実施例の構成に他の実施例の構成を加えることも可能である。
【符号の説明】
【００９９】
１，２…アンテナ、
１０，９０…デジタル放送受信装置、
１１，９１，１２０，１２５，１２７…フロントエンド処理部、
１２，９２，１２１…バックエンド処理部、
１３…第１選局部、
１４…第２選局部、
１５…第１切替部、
１６…第２切替部、
１７…第１放送復調部、
１７’…第１復調部、
１８…第２放送復調部、
１８’…第２復調部、
１９…第１放送デコード部、
２０…第２放送デコード部、
２１…出力選択部、
２２…出力部、
２３…制御部、
２４…記憶部、
２５…入力部、
２６…通信部、
２７，１２４…経路選択部、
２８…第１放送情報抽出部、
２９…第２放送情報抽出部、
７０，８０…モニタ、
１２２…第１選局／復調部、
１２３…第２選局／復調部、
１２６…第３選局／復調部、
１２８…第４選局／復調部、
２００…同一番組情報、
１０００…中継局チャンネル情報。
【図１】
2014078815.tif 000003
【図２】
2014078815.tif 000004
【図３】
2014078815.tif 000005
【図４】
2014078815.tif 000006
【図５】
2014078815.tif 000007
【図６】
2014078815.tif 000008
【図７】
2014078815.tif 000009
【図８】
2014078815.tif 000010
【図９】
2014078815.tif 000011
【図１０】
2014078815.tif 000012
【図１１】
2014078815.tif 000013
【図１２Ａ】
2014078815.tif 000014
【図１２Ｂ】
2014078815.tif 000015
【図１２Ｃ】
2014078815.tif 000016